(57)【要約】【課題】  高い位置分解能を有し、ディスプレイの輝度低下が生じないポインティングデバイスを提供する。また、生産性の良いポインティングデバイスを提供する。【解決手段】  ディスプレイ上の特定位置の座標情報を出力するポインティングデバイスにおいて、前記ディスプレイの非発光部分に一体に形成する検知手段を備えることを特徴とするポインティングデバイス。【選択図】                    図１
2005293074.tif 000002
【特許請求の範囲】
【請求項１】
ディスプレイ上の特定位置の座標情報を出力するポインティングデバイスにおいて、
前記ディスプレイの非発光部分に一体に形成する検知手段を備えることを特徴とするポインティングデバイス。
【請求項２】
前記検知手段は、前記ディスプレイの画素同士の間にマトリックス状に形成することを特徴とする請求項１記載のポインティングデバイス。
【請求項３】
前記検知手段は、層構造に形成する第１導電体と、前記第１導電体の上部に層構造に形成する光電材料と、前記光電材料の上部に層構造に形成する第２導電体とを備えることを特徴とする請求項２記載のポインティングデバイス。
【請求項４】
前記検知手段は、レーザポインタ等からの信号に対応する特定の座標情報を出力することを特徴とする請求項２または請求項３の何れかに記載のポインティングデバイス。
【請求項５】
前記信号は、所定のパターンで変調されることを特徴とする請求項４記載のポインティングデバイス。
【請求項６】
前記検知手段は、液晶ディスプレイのカラーフィルタのブラックマトリクス部分に形成することを特徴とする請求項１記載のポインティングデバイス。
【請求項７】
前記検知手段は、プラズマディスプレイの画素の隔壁上部に形成することを特徴とする請求項１記載のポインティングデバイス。
【発明の詳細な説明】
【技術分野】
【０００１】
本発明は、コンピュータ等に用いるディスプレイのポインティングデバイスに関し、特に、高い位置分解能を有するポインティングデバイスに関する。
【背景技術】
【０００２】
従来のディスプレイのポインティングデバイス（光学式タッチパネル）は、ベゼル内部のオプトマトリックスフレームに、赤外線の発光素子（ＬＥＤ）と受光素子（フォトトランジスタ）とを対として形成し、ディスプレイ上に赤外線のグリッドを形成する（図示せず）。また、発光素子と受光素子とは、ディスプレイの額縁部分に形成する。
【０００３】
そして、指などのスタイラスでディスプレイをタッチすると、赤外線は遮光され、受光素子は遮光された特定位置を座標情報として出力する。
【０００４】
また、他の従来のポインティングデバイス（接触式タッチパネル）は、ディスプレイ上に透明なフィルム電極と透明なガラス電極を形成する（図示せず）。
【０００５】
そして、指またはスタイラスで接触すると、その接触点でフィルム電極とガラス電極とが接触し、接触点の特定位置を座標情報として出力する。
【０００６】
さらにまた、従来の座標入力システムは、表示層内に座標情報を示すコードシンボルを形成するものもある（例えば、特許文献１参照。）。
【０００７】
【特許文献１】特開２００２−８２７７１号公報
【発明の開示】
【発明が解決しようとする課題】
【０００８】
しかしながら、前者の従来のポインティングデバイスは、額縁に光学部品を配置する幅が必要であり、大形となるという課題がある。また、位置分解能が悪く、文字入力等ができないという課題がある。
【０００９】
さらに、後者の従来のポインティングデバイスは、フィルム電極及びガラス電極でディスプレイの輝度低下が生じるという課題がある。また、フィルム電極とガラス電極との接触時にニュートンリングが生じるという課題がある。
【００１０】
本発明の目的は、以上説明した課題を解決するものであり、高い位置分解能を有し、ディスプレイの輝度低下が生じないポインティングデバイスを提供することにある。また、本発明の目的は、生産性の良いポインティングデバイスを提供することにある。
【課題を解決するための手段】
【００１１】
このような目的を達成する本発明は、次の通りである。
（１）ディスプレイ上の特定位置の座標情報を出力するポインティングデバイスにおいて、前記ディスプレイの非発光部分に一体に形成する検知手段を備えることを特徴とするポインティングデバイス。
【００１２】
（２）前記検知手段は、前記ディスプレイの画素同士の間にマトリックス状に形成することを特徴とする（１）記載のポインティングデバイス。
【００１３】
（３）前記検知手段は、層構造に形成する第１導電体と、前記第１導電体の上部に層構造に形成する光電材料と、前記光電材料の上部に層構造に形成する第２導電体とを備えることを特徴とする（２）記載のポインティングデバイス。
【００１４】
（４）前記検知手段は、レーザポインタ等からの信号に対応する特定の座標情報を出力することを特徴とする（２）または（３）の何れかに記載のポインティングデバイス。
【００１５】
（５）前記信号は、所定のパターンで変調されることを特徴とする（４）記載のポインティングデバイス。
【００１６】
（６）前記検知手段は、液晶ディスプレイのカラーフィルタのブラックマトリクス部分に形成することを特徴とする（１）記載のポインティングデバイス。
【００１７】
（７）前記検知手段は、プラズマディスプレイの画素の隔壁上部に形成することを特徴とする（１）記載のポインティングデバイス。
【発明の効果】
【００１８】
以上説明したことから明らかなように、本発明によれば次のような効果がある。
本発明によれば、高い位置分解能を有し、ディスプレイの輝度低下が生じないポインティングデバイスを提供できる。また、本発明によれば、生産性の良いポインティングデバイスを提供できる。
【発明を実施するための最良の形態】
【００１９】
以下に図１及び図２に基づいて本発明を詳細に説明する。図１は、本発明の一実施例を示す縦断面図である。また、図２は、図１の実施例の横断面図である。
図１の実施例の特徴は、検知手段２０を備える点にある。
【００２０】
まず、図１に示す実施例の構成について説明する。
図１の実施例において、ディスプレイは液晶ディスプレイで形成する。そして、検知手段２０は、ディスプレイ内の液晶部２１と上面ガラス２２との間に形成する。さらに、液晶部２１は、透明電極、液晶、下面ガラス、バックライト、画素Ｒ，Ｇ，Ｂから形成される。
【００２１】
また、知手段２０は、ディスプレイの非発光部分（画素と画素との間）に一体に形成する。即ち、知手段２０は、カラーフィルタのブラックマトリックス部分に一体に形成する。
【００２２】
ここで、検知手段２０の構成について説明する。
第１の導電体である導電体１１は、ディスプレイの非発光部分１４の上部に層構造に形成する。また、光電材料１３は、導電体１１の上部に層構造に形成する。さらに、第２の導電体である導電体１２は、光電材料１３の上部に層構造に形成する。
【００２３】
次に、図２に示す実施例の構成について説明する。
画素３１は、ＲまたはＧまたはＢから形成され、ディスプレイの全面に規則的に配置される。また、検知手段３２及び検知手段３３は、画素３１同士の間に、マトリックス状に形成する。
【００２４】
そして、検知手段２０，３２，３３と液晶部２１及び画素３１とは、一体に形成する。
【００２５】
このような図１の実施例の動作を説明する。
液晶部２１に表示する情報は、上面ガラス２２を介して、外部に出力する。そして、液晶部２１に表示する情報は、検知手段２０の部分を通らない。
【００２６】
また、画素３１は情報を表示する。そして、画素３１に表示する情報は、検知手段３２及び検知手段３３の部分を通らない。
したがって、ディスプレイの輝度低下は生じない。
【００２７】
また、検知手段２０は、特定の光を照射すると起電力が生じる。詳しくは、光電材料１３に起電力が生じる。
【００２８】
具体的には、外部から、上面ガラス２２を介して、レーザポインタ等からの信号を照射すると、信号が照射される検知手段２０のみに起電力が生じる。なお、信号が照射されない検知手段２０には起電力が生じない。
【００２９】
このため、検知手段２０は、レーザポインタ等からの信号に対応する特定位置の座標情報を出力する。同様に、検知手段３２及び検知手段３３は、レーザポインタ等からの信号に対応する特定位置の座標情報を出力する。
【００３０】
そして、検知手段３２及び検知手段３３は、ディスプレイの解像度と同程度の位置分解能を有する特定位置の座標情報を出力する。
【００３１】
また、上述の例において、レーザポインタ等からの信号は、所定のパターンで変調されるようにしてもよい。具体的には、レーザポインタ等からの信号を高速で点滅させる。この場合は、上述の例と同様の作用及び効果があると共に、誤動作を抑制できる。
【００３２】
さらに、上述の例とは別に、検知手段２０は、特定の光を照射すると電気的特性が変化するように形成してもよい。詳しくは、光電材料１３の抵抗値が変化する。この場合も上述の例と同様の作用及び効果がある。
【００３３】
さらに、上述の例は検知手段がレーザポインタ等からの信号に応答するものであったが、これとは別に、検知手段が指及びスタイラスに応答するものであってもよい。この場合も上述の例と同様の作用及び効果がある。
【００３４】
以下に図３を用いて本発明を説明する。図３は、本発明の第２の実施例を示す縦断面図である。なお、図３の縦断面図は、図１の縦断面図に対応している。
【００３５】
図３の実施例は、ディスプレイがプラズマディスプレイの場合であり、検知手段５０は、画素５１の隔壁上部に形成する。図４の実施例も図１の実施例と同様の作用及び効果がある。
【００３６】
以下に図４を用いて本発明を説明する。図４は、本発明の第３の実施例を示す縦断面図である。なお、図４の縦断面図は、図１の縦断面図に対応している。
【００３７】
図４の実施例は、ディスプレイが有機ＥＬディスプレイの場合であり、検知手段６０は、図１の実施例と同様に、非発光部分（画素６１と画素６１との間）に形成する。図４の実施例も図１の実施例と同様の作用及び効果がある。
【００３８】
以上のように、本発明は、前述の実施例に限定されることなく、その本質を逸脱しない範囲でさらに多くの変更及び変形を含むものである。
【図面の簡単な説明】
【００３９】
【図１】本発明の一実施例を示す縦断面図である。
【図２】図１の実施例の横断面図である。
【図３】本発明の第２の実施例を示す縦断面図である。
【図４】本発明の第３の実施例を示す縦断面図である。
【符号の説明】
【００４０】
２０，３２，３３，５０，６０  検知手段
２１  液晶部
２２  上面ガラス
１１，１２  導電体
１３  光電材料
１４  非発光部分
３１，５１，６１  画素
【図１】
2005293074.tif 000003
【図２】
2005293074.tif 000004
【図３】
2005293074.tif 000005
【図４】
2005293074.tif 000006